(57)【要約】      （修正有）【課題】リュックサック、バッグ、衣類のポケット等に入れて簡便に携帯でき、登山する山岳地、地震による災害地等、便所のないところでの排泄、及び排泄物の回収が容易にできる携帯用汚物回収ユニットを得る。【解決手段】軟質性の汚物回収袋（３）、吸水性マット（４）、及びウエットティッシュ（６）を面状に折り畳み、これらを積み重ねて偏平な軟質性の外袋（２）内に収容する。汚物回収袋（３）は、軟質プラスチックシートにより筒状の主体を設け、該主体の左右両側部を互いに接近する方向に中割り折りして該主体の両側に襠片を形成し、該襠片の下端部を前記主体の下端部に一体的に固着し、該汚物回収袋（３）内に吸水性マット（４）を収容する。【選択図】図１
0003118229.tif 000002
【実用新案登録請求の範囲】
【請求項１】
軟質性の汚物回収袋（３）、吸水性マット（４）、及びウエットティッシュ（６）を面状に折り畳み、これらを積み重ねて偏平な軟質性の外袋（２）内に収容したことを特徴とする携帯用汚物回収ユニット。
【請求項２】
汚物回収袋（３）は、軟質プラスチックシートにより筒状の主体（３ａ）を設け、該主体（３ａ）の左右両側部を互いに接近する方向に中割り折りして該主体（３ａ）の両側に襠片（３ｂ，３ｃ）を形成し、該襠片（３ｂ，３ｃ）の下端部を前記主体（３ａ）の下端部に一体的に固着して上面のみが開口した側面視方形の汚物回収袋（３）を形成し、該汚物回収袋（３）内に吸水性マット（４）を収容したことを特徴とする請求項１記載の携帯用汚物回収ユニット。
【請求項３】
吸水性マット（４）は、一辺が汚物回収袋（３）の一方側の襠片（３ｂ）を広げた長さに略対応し、他辺が両側の襠片（３ｂ，３ｃ）を折り畳んだ汚物回収袋（３）の左右幅に略対応する方形状としたことを特徴とする請求項１又は２記載の携帯用汚物回収ユニット。
【請求項４】
吸水性マット（４）は、吸水ポリマー、脱臭剤、及び糞を分解する好気性微生物を混在させてシート状にしてなることを特徴とする請求項１、２又は３記載の携帯用汚物回収ユニット。
【考案の詳細な説明】
【技術分野】
【０００１】
本考案は、リュックサック、バッグ、衣類のポケット等に入れて簡便に携帯でき、登山する山岳地、地震による災害地等、便所のないところでの排泄（排便・排尿）、及び排泄物（汚物）の回収が容易にできる携帯用汚物回収ユニットに関するものである。
【背景技術】
【０００２】
従来の技術として、ポリエチレン製の汚物回収袋内に吸水性マットを固着し、これを折り畳んで５枚〜１０枚単位で偏平な軟質性の外袋内に収容したものがあった。
【０００３】
前記従来のものは、地震、台風等の自然災害で便器の水が出なくなった際、あるいは便器のない屋外等で排泄する際に、前記汚物回収袋を外袋から取り出して広げることにより、該汚物回収袋に排泄することができる。
【０００４】
しかしながら、前記従来のものは外袋内に汚物回収袋のみを収容していたので、排泄後に要するティッシュを別途用意しておく必要があった。
【特許文献１】特開２０００−２４５６５４号公報
【考案の開示】
【考案が解決しようとする課題】
【０００５】
本考案は、汚物回収袋、吸水性マット、及びウエットティッシュを共通の外袋内に収容することにより、携帯に便利で非常時の排泄が円滑にできる新規な携帯用汚物回収ユニットを得ることを目的とする。
【課題を解決するための手段】
【０００６】
本考案は、上記目的を達成するために以下の如く構成したものである。即ち、請求項１に係る考案は、軟質性の汚物回収袋、吸水性マット、及びウエットティッシュを面状に折り畳み、これらを積み重ねて偏平な軟質性の外袋内に収容したものである。
請求項２に係る考案は、前記汚物回収袋として、汚物回収袋は、軟質プラスチックシートにより筒状の主体を設け、該主体の左右両側部を互いに接近する方向に中割り折りして該主体の両側に襠片を形成し、該襠片の下端部を前記主体の下端部に一体的に固着して上面のみが開口した側面視方形の汚物回収袋を形成し、該汚物回収袋内に吸水性マットを収容する構成にしたものである。
請求項３に係る考案は、前記吸水性マットを、一辺が汚物回収袋の一方側の襠片を広げた長さに略対応し、他辺が両側の襠片を折り畳んだ汚物回収袋の左右幅に略対応する方形状としたものである。
請求項４に係る考案は、前記吸水性マットを、吸水ポリマー、脱臭剤、及び糞を分解する好気性微生物を混在させてシート状にしたものである。
【考案の効果】
【０００７】
本考案の請求項１に係る考案は、汚物回収袋、吸水性マット、及びウエットティッシュを共通の外袋内に収容したので、非常時の排泄時に準備品忘れがなくなる。また、各汚物回収袋、吸水性マット、及びウエットティッシュを面状に折り畳み、これらを積み重ねて外袋内に収容したので、全体がコンパクトになり、携帯が便利となる。
請求項２に係る発明は、中割り折りした襠片の下端部を主体の下端部に重ねて該主体の下端部に固着したので、襠片を広げると、該襠片の下端部が上方に引き上げられ、これに伴って主体の下端部も上方に引き上げられることになる。このため、汚物回収袋を拡開させると、該汚物回収袋の底部が面状に広がり、また、汚物回収袋内に収容した吸水性マットが前記汚物回収袋の底部に沿って面状に広がることになる。これにより、排尿、排便等の排泄物が汚物回収袋内の底部に向かって円滑に落下・堆積されることになる。
また、請求項３に係る考案は、前記吸水性マットが、前記面状に広がった汚物回収袋の底部の略全面を覆って排尿、排便等の排泄物を効率よく受け止めることになる。
また、請求項４に係る考案は、前記吸水性マットが排泄物中の水分を効率よく吸着するとともに、外部への異臭の発散を防止することになる。
【考案を実施するための最良の形態】
【０００８】
以下本考案の実施例を図面に基づいて説明する。図において、図１は本考案の実施例を示す斜視図、図２は中身を取り出した外袋の斜視図、図３は外袋に収容可能な状態に折り畳んだ汚物回収袋の斜視図、図４は外袋に収容可能な状態に折り畳んだウエットティッシュを収容したティッシュ袋の斜視図、図５は外袋から出した汚物回収袋をシート状に広げた状態の斜視図、図６は汚物回収袋を容器状に広げた状態の斜視図である。
【０００９】
図１において、１は携帯用汚物回収ユニットであり、外袋２内に汚物回収袋３、吸水性マット４、及びウエットティッシュ６を収容してなる。前記外袋２は軟質性のプラスチックフィルムにより、横幅Ｌ１が約１０ｃｍ、たて幅Ｌ２が約１５ｃｍとなる長方形状に形成し、たて方向の一端側に開閉可能な口２ａを有する。該口２ａは、図２に示すように、たて方向の一端側全域が開くようになっている。
【００１０】
前記汚物回収袋３は、軟質プラスチックシート、例えば炭酸カルシウムが混入されたポリエチレンシートにより形成される。即ち、図５に示すように、筒状の主体３ａの左右両側を互いに接近する方向に中割り折りし、該左右両側に一辺の幅Ｗ３が約１０ｃｍとなる襠片３ｂ、３ｃを形成し、該襠片３ｂ，３ｃの下端部を前記主体３ａの下端部に重ねて両者を一体的に固着（熱圧着）するとともに、主体３ａの下端部を閉塞してなり、これにより、襠片３ｂ、３ｃを折り畳んだときの汚物回収袋３は、横幅（左右幅）Ｗ１が約３５ｃｍ、たて幅（上下幅）Ｗ２が約５０ｃｍとなる長方形状とする。
【００１１】
前記汚物回収袋３を外袋２に収容する際には、図５に示す２点鎖線ａ、ｂを基準として左右及び上下に四つ折りして図３に示すように折り畳み、該折り畳んだ際の大きさは、前記外袋２に収容できるように、横幅Ｌ３が約８．７ｃｍ、たて幅Ｌ２が約１２．５ｃｍとなる長方形状とする。
【００１２】
前記汚物回収袋３内に吸水性マット４を収容する。該吸水性マット４は、凝固紙に吸水ポリマー、脱臭剤、及び糞を分解する好気性微生物を混在させて付着するとともに、表面を通水性の不織布により被覆してなり、その大きさは横幅（左右幅）が約２５ｃｍ、前後幅が約２０ｃｍとなる長方形状とする。
【００１３】
ウェットティッシュ６は、図４に示すように、ティッシュ袋５内に折り畳まれて収容されている。即ち、軟質性のプラスチックフィルムにより、横幅Ｌ５が約１０ｃｍ、たて幅Ｌ６が約７ｃｍとなる長方形状のティッシュ袋５を形成し、該ティッシュ袋５内に３枚〜５枚のウェットティッシュ６を折り畳んで収容する。前記ティッシュ袋５は上面に裂き口５ａが形成され、該裂き口５ａを開いて前記ウェットティッシュ６が取り出しできるようになっている。
【００１４】
前記実施例によれば、携帯用汚物回収ユニット１は、外袋２内に汚物回収袋３、吸水性マット４、及びウエットティッシュ６が一括して収容されているので、非常時の排泄時にティッシュを用意する必要がなく、迅速に且つ心労をなくして排泄することができる。
また、各汚物回収袋３、吸水性マット４、及びウエットティッシュ６を面状に折り畳み、これらを積み重ねて外袋２内に収容したので、全体がコンパクトになり、バッグ、あるいは衣類等のポケット等に入れて簡便に携帯することができる。
【００１５】
また、汚物回収袋３は、襠片３ｂ，３ｃを広げると該襠片３ｂ，３ｃの下端部及び主体３ａの下端部が上方に引き上げられて汚物回収袋３の底部が面状に広がることになる。このため、汚物回収袋３を拡開させると、該汚物回収袋３が図６に示すように、上部から底部に向かって箱状に拡開し、また、吸水性マット４が前記汚物回収袋３の底部に沿って面状に広がることになる。これにより、排尿、排便等の排泄物が汚物回収袋３内の底部に向かって円滑に落下・堆積され、排泄物（汚物）を清潔に回収することができる。
また、前記吸水性マット４は、吸水ポリマーによって排泄物中の水分を効率よく吸着するとともに、脱臭剤、及び糞を分解する好気性微生物が排泄物による外部への異臭発散を防止することになる。
【図面の簡単な説明】
【００１６】
【図１】本考案の実施例を示す斜視図である。
【図２】中身を取り出した外袋の斜視図である。
【図３】外袋に収容可能な状態に折り畳んだ汚物回収袋の斜視図である。
【図４】外袋に収容可能な状態に折り畳んだウエットティッシュを収容したティッシュ袋の斜視図である。
【図５】外袋から出した汚物回収袋をシート状に広げた状態の斜視図である。
【図６】汚物回収袋を容器状に広げた状態の斜視図である。
【符号の説明】
【００１７】
１    携帯用汚物回収ユニット
２    外袋
２ａ  口
３    汚物回収袋
３ａ  主体
３ｂ，３ｃ  襠片
４    吸水性マット
５    ウェットティッシュ袋
６    ウェットティッシュ
【図１】
0003118229.tif 000003
【図２】
0003118229.tif 000004
【図３】
0003118229.tif 000005
【図４】
0003118229.tif 000006
【図５】
0003118229.tif 000007
【図６】
0003118229.tif 000008